(57)【要約】  少なくとも２つの吸着体を含む循環クロマトグラフィー精製プロセスを監視、評価及び制御する方法であって、前記方法が、少なくとも以下のステップ、ａ）液体における少なくとも１つの現在の濃度比例シグナルの測定を含む、クロマトグラムの監視ステップと、ｂ）ステップ（ａ）で測定した少なくとも１つの前記現在の濃度比例シグナルとその閾値との比較を含む、クロマトグラムの評価ステップと、ｃ）ステップ（ｂ）の比較結果に応じて現在実行中の段階の終了を調整し、かつ次の段階を開始することによる、クロマトグラフィー精製プロセスの制御ステップとを含み、シーケンスａ）〜ｃ）を、記載の順序で少なくとも２回実施する方法が提供される。
2021503367.tif 000002
【特許請求の範囲】
【請求項１】
所望の生成物成分（Ｐ）と不純物（Ｗ、Ｓ）とを含有する供給混合物（フィード）を含む液体を通す少なくとも２つの吸着体を含む循環クロマトグラフィー精製プロセスを監視、評価及び制御する方法であって、
前記精製プロセスが、少なくとも２つの異なる段階（Ｉ、Ｂ）、すなわち
上流の吸着体の出口が下流の吸着体の入口と流体連通していることで、２つの吸着体が相互連結している、少なくとも１回の相互連結段階（Ｉ）と、
少なくとも１つの吸着体が他の吸着体と流体連通しておらず、前記所望の生成物成分（Ｐ）が、分断された吸着体から、精製された形態で回収される、少なくとも１回のバッチ段階（Ｂ）と
を含む方法において、
前記方法が、少なくとも以下のステップ、すなわち
ａ．  前記液体における少なくとも１つの現在の濃度比例シグナルの測定を含む、クロマトグラムの監視ステップと、
ｂ．  ステップａ．で測定した前記現在の濃度比例シグナルの少なくとも１つとその閾値との比較を含む、前記クロマトグラムの評価ステップと、
ｃ．  ステップｂ．の比較結果に応じて現在実行中の段階の終了を調整し、かつ次の段階を開始することによる、前記クロマトグラフィー精製プロセスの制御ステップと
を含み、前記シーケンスａ〜ｃを、記載の順序で少なくとも２回実施する、方法。
【請求項２】
前記濃度比例シグナルを、その絶対値、その積分値、その傾き及びその傾きの符号のうちの少なくとも１つについて考慮し、好ましくは、これらの組み合わせを考慮し、最も好ましくは、前記絶対値とその傾きの符号との組み合わせを考慮する、請求項１記載の方法。
【請求項３】
ステップａ．で測定する前記濃度比例シグナルを、少なくとも１つの吸着体の出口で、好ましくは２つの吸着体の出口で、又はすべての吸着体の出口で測定し、さらに好ましくは、前記濃度比例シグナルを、以下の位置のうちの少なくとも１箇所で測定し、すなわち、  前記所望の生成物のバッチ溶離段階（Ｂ１）における前記吸着体の出口、及び
相互連結段階（Ｉ１、Ｉ２）における上流の吸着体の出口のうちの少なくとも１箇所で測定する、請求項１又は２記載の方法。
【請求項４】
前記精製プロセスが、少なくとも４つの異なる段階（Ｉ１、Ｂ１、Ｉ２、Ｂ２）、すなわち
上流の吸着体の出口が下流の吸着体の入口と流体連通していることで、２つの吸着体が相互連結しており、溶媒が、前記入口を通じて前記上流の吸着体に入り、所望の生成物成分（Ｐ）及び吸着性の弱い不純物（Ｗ）が、好ましくは実質的に所望の生成物成分（Ｐ）のみが前記上流の吸着体の出口を通じて出るまで前記上流の吸着体から前記下流の吸着体に送られ、好ましくは、インライン希釈が前記上流の吸着体と前記下流の吸着体との間で実施される少なくとも１回の第１の相互連結段階（Ｉ１）と、
前記吸着体が流体連通しておらず、溶媒が、前記入口を通じて前記第１の相互連結段階（Ｉ１）の前記上流の吸着体に入り、この生成物溶離吸着体の出口を通じて所望の生成物成分（Ｐ）が収集され、一方で、供給混合物（フィード）を含む液体が、前記入口を通じて前記第１の相互連結段階（Ｉ１）の前記下流の吸着体に入り、好ましくはこの吸着体の出口を通じて吸着性の弱い不純物が収集される少なくとも１回の第１のバッチ段階（Ｂ１）と、
前記第１の相互連結段階（Ｉ１）の前記上流の吸着体の出口が、前記第１の相互連結段階（Ｉ１）の前記下流の吸着体の入口に連結していることで、前記２つの吸着体が相互連結しており、溶媒が、前記入口を通じて前記上流の吸着体に入り、所望の生成物成分（Ｐ）及び吸着性の強い不純物（Ｓ）が、好ましくは実質的に所望の生成物成分（Ｐ）が前記上流の吸着体の出口を通じて出なくなるまで前記上流の吸着体から前記下流の吸着体に送られ、さらに好ましくは、インライン希釈が前記上流の吸着体と前記下流の吸着体との間で実施される、少なくとも１回の第２の相互連結段階（Ｉ２）と、
前記吸着体が流体連通しておらず、溶媒が、前記入口を通じて前記第２の相互連結段階（Ｉ２）の上流の吸着体に入り、この前の上流の吸着体の出口を通じて前記吸着性の強い不純物（Ｓ）が収集され、一方で、溶媒が、前記入口を通じて前記第２の相互連結段階（Ｉ２）の下流の吸着体に入り、この前の下流の吸着体の出口を通じて吸着性の弱い不純物が収集される、少なくとも１回の第２のバッチ段階（Ｂ２）と
を記載の順序で含み、前記段階（Ｉ１、Ｂ１、Ｉ２、Ｂ２）の機能が、同期して又は、好ましくは順次満たされ、かつ循環式に少なくとも２回実施され、切替時間の後又は切り替え時間内で循環されたときに、前記第２のバッチ段階（Ｂ２）の前記前の上流の吸着体が移動して、続く前記第１の相互連結段階（Ｉ１）における前記下流の吸着体になり、前記第２のバッチ段階の元の下流の吸着体が移動して、続く前記第１の相互連結段階（Ｉ１）における前記上流の吸着体になる、請求項１〜３のいずれか１項記載の方法。
【請求項５】
ステップａ．が、前記液体における少なくとも１つの現在の濃度比例シグナルを、前記第１の相互連結段階（Ｉ１）の前記上流の吸着体の出口で測定することを含み、好ましくは、前記絶対値及びその傾きの符号のうちの少なくとも１つ、好ましくはこれら２つの組み合わせを測定する、請求項４記載の方法。
【請求項６】
前記絶対値及び好ましくはその傾きの符号を測定し、
絶対値閾値を上回ったときに、続く前記第１のバッチ段階（Ｂ１）を、固定持続長の第１のバッチ段階として、若しくはさらなる監視、評価及び制御に合わせて調整された長さの第１のバッチ段階として開始するか、
又は、絶対値閾値を上回ったときに、続く前記第１のバッチ段階（Ｂ１）が、固定持続長の第１のバッチ段階として、若しくはさらなる監視、評価及び制御に合わせて調整された長さの第１のバッチ段階として開始されるまで、固定遅延にわたり待機するか、
又は、第１の絶対値閾値を上回ったときに、最低固定遅延にわたり待機し、その後、第２の絶対値閾値を上回ったときに、好ましくはその傾きが正であるというさらなる条件を確認して、続く前記第１のバッチ段階（Ｂ１）を、固定持続長の第１のバッチ段階として、若しくはさらなる監視、評価及び制御に合わせて調整された長さの第１のバッチ段階として開始する、請求項４記載の方法。
【請求項７】
ステップａ．が、前記液体における少なくとも１つの現在の濃度比例シグナルを、前記第１のバッチ段階（Ｂ１）の前記生成物溶離吸着体の出口で測定することを含み、好ましくは、前記絶対値及びその傾きの符号のうちの少なくとも１つ、好ましくはこれら２つの組み合わせを測定する、請求項４〜６のいずれか１項記載の方法。
【請求項８】
絶対値閾値を下回ったときに、好ましくはその傾きが負であるというさらなる条件を確認して、続く前記第２の相互連結段階（Ｉ２）を、固定持続長の第２の相互連結段階として、又はさらなる監視、評価及び制御に合わせて調整された長さの第２の相互連結段階として開始し、
好ましくは、前記第１のバッチ段階（Ｂ１）における非生成物溶離吸着体への供給を、前記第１のバッチ段階（Ｂ１）の始めに開始し、好ましくは、前記供給を、通常は固定供給時間の後に停止してから、後の前記相互連結段階（Ｉ２）への切り替えを開始する、請求項７記載の方法。
【請求項９】
ステップａ．が、前記液体における少なくとも１つの現在の濃度比例シグナルを、前記第２の相互連結段階（Ｉ２）の前記上流の吸着体の出口で測定することを含み、
好ましくは、前記絶対値及びその傾きの符号のうちの少なくとも１つ、好ましくはこれら２つの組み合わせを測定し、好ましくはその傾きが負であるというさらなる条件を確認して、絶対値閾値を下回ったときに、続く前記第２のバッチ段階（Ｂ２）を、固定持続長の第２のバッチ段階として、又はさらなる監視、評価及び制御に合わせて調整された長さの第２のバッチ段階として開始する、請求項７又は８記載の方法。
【請求項１０】
前記循環クロマトグラフィープロセスで少なくとも２つの吸着体を使用し、各サイクルは、部分的に純粋な異なる副次的画分（Ｗ／Ｐ、Ｐ／Ｓ）の内部再循環のために２つの吸着体が流体連通している少なくとも２つの相互連結段階（Ｉ１、Ｉ２）を含み、好ましくは、ステップａ．で、前記絶対シグナル及びその傾きのうちの少なくとも１つを、前記上流の吸着体それぞれの出口で測定する、請求項１〜９のいずれか１項記載の方法。
【請求項１１】
前記傾きの符号の変化を制御動作の判定基準として使用する、請求項１〜１０のいずれか１項記載の方法。
【請求項１２】
前記プロセスの溶離グラジエントが、双方の相互連結段階及び前記第１のバッチ段階（Ｉ１、Ｂ１、Ｉ２）にわたり前記プロセスで使用された液体移動相の体積について一定の傾きを有するか、又はゼロの傾きを有する、請求項１〜１１のいずれか１項記載の方法。
【請求項１３】
前記プロセスのある段階を停止して前記プロセスの新たな段階を開始するための前記閾値が、前記クロマトグラフィープロセスの同一の又は先行するサイクル中に記録される前記濃度比例シグナルと関連づけて定められている、請求項１〜１２のいずれか１項記載の方法。
【請求項１４】
所定の溶離体積又は時間又はグラジエント濃度内で定められた閾値に達しないことに基づいて制御動作を始動させる、請求項１〜１３のいずれか１項記載の方法。
【請求項１５】
前記濃度比例シグナルが、可視光、ＵＶ、赤外線、蛍光、ラマン、イオン強度、導電率又は屈折率の測定に基づく、請求項１〜１４のいずれか１項記載の方法。
【発明の詳細な説明】
【技術分野】
【０００１】
本発明は、循環クロマトグラフィー精製プロセスを監視、評価及び制御する方法に関する。
【背景技術】
【０００２】
クロマトグラフィープロセスは、複雑な混合物から生成物を精製するために用いられる。
【０００３】
「困難な」クロマトグラフィー分離の場合、目的生成物は、非常に類似した吸着挙動を示す副次的化合物（不純物）を随伴する。従来の単一吸着体クロマトグラフィーのクロマトグラムでは、これによって生成物ピークの前部及び後部において生成物と様々な副次的化合物との重なり部分が生じ、センターカット（ｃｅｎｔｅｒ−ｃｕｔ）精製が必要となる。この精製は、３成分系分離の課題とも称される。なぜなら、クロマトグラムにおいて、分離すべき化合物を、３つのクラス、すなわち、早期に溶離する（吸着性の弱い）不純物／副次的化合物と、中期に溶離する「生成物」と、遅くに溶離する（吸着性の強い）不純物／副次的化合物とに分類できるためである。生成物ピークの前後における重複した画分はそれぞれ、目的生成物と不純物／副次的化合物との双方を含んでおり、その純度が指定の仕様を満たしていないことから、通常はこれを廃棄しなければならない。このことは、そのような３成分系分離の課題では、収率を犠牲にしなければ高純度の生成物画分を得ることができないことを意味する。副次的画分を含めれば、さらなる生成物化合物が含まれることで収率が向上するであろうが、副次的化合物／不純物が含まれるため、純度は低下するであろう。こうした状況は、収率と純度との相反関係としても知られている。
【０００４】
収率と純度との相反関係を緩和することを目的として、不純な副次的画分に含まれる生成物を回収すべく、再循環技術を用いた様々なクロマトグラフィープロセスが提案されてきた。再処理が規制ガイドラインに適合している場合には、単一吸着体を使用し、後の時点で精製用の別個の容器内で不純な副次的画分を収集するプロセスが提案されてきた。
【０００５】
幾つかのプロセスでは、不純な副次的画分を、中間貯蔵せずに同一の吸着体へと直ちに再循環させる。
【０００６】
１つより多いクロマトグラフィー用吸着体を用いたクロマトグラフィープロセスにより、不純な副次的画分の内部再循環の使用と、向流原理、すなわち固定相（吸着体材料）と移動相（流体）との相対的に逆向きの動きとを組み合わせることが可能となる。不純な副次的画分を内部再循環させることで、これらの画分に含まれる生成物化合物を、先ず外部容器内で貯蔵せずに１つの吸着体からもう１つの吸着体へと直接送り、次いで向流原理により分離して回収することができる。
【０００７】
この内部再循環と向流原理との有用な組み合わせによって、マルチ吸着体プロセスにおいて、高収率であると同時に高純度でもある生成物化合物の製造が可能となる。こうしたプロセスは、擬似移動層（ＳＭＢ）式プロセスとしても知られている。初期のＳＭＢプロセスの使用は、２成分系分離、すなわち２種の生成物化合物の分離か、又は１種の生成物化合物と、溶離が早い若しくは遅い不純物／副次的化合物のうちの１つの群との分離に限定されていた。生成物ピークの前部及び後部で副次的化合物と重なる生成物の３成分系分離は、２つのＳＭＢプロセスを組み合わせなければ達成することができないが、２つのＳＭＢ構成間に濃縮ステップが潜在的に必要となる場合がある。こうした構成の煩雑性は、その実用に不都合であり、向流原理を用いた３成分系分離の代替的プロセスの開発に繋がった。さらに、ＳＭＢプロセスでは、類似の吸着特性を示す複数の化合物の分離に重要な線形の溶媒グラジエントを用いることができない。
【０００８】
この点に関して、線形の溶媒グラジエントの性能を有する、３成分系分離に非常に効率的なプロセスは、「ＭＣＳＧＰ」プロセス（Ｍｕｌｔｉｃｏｌｕｍｎ  ｃｏｕｎｔｅｒｃｕｒｒｅｎｔ  ｓｏｌｖｅｎｔ  ｇｒａｄｉｅｎｔ  ｐｕｒｉｆｉｃａｔｉｏｎ、マルチカラム向流溶媒グラジエント精製）として知られており、工業的に十分に確立されている（特許文献１参照）。このプロセスは、２〜８の吸着体について記載されている。
【０００９】
例えば「定常状態の再循環を伴うグラジエント（ｇｒａｄｉｅｎｔ  ｗｉｔｈ  ｓｔｅａｄｙ  ｓｔａｔｅ  ｒｅｃｙｃｌｅ）」（ＧＳＳＲ）プロセスのような、複数の吸着体と内部再循環とを用いた他のクロマトグラフィーマルチ吸着体技術が提案されてきた。ここ数年、マルチ吸着体向流クロマトグラフィープロセスの適用の多くは、吸着体２つのＭＣＳＧＰプロセスについて記載されており、このプロセスには、設備の煩雑性が低く、また流量、切替時間及び線形の溶媒グラジエントモードでの操作の使用に関する操作上の柔軟性が高いという利点がある。
【００１０】
特許文献２には、クロマトグラフィープロセスを制御及び／又は監視及び／又は最適化する方法であって、該方法は、交互に操作される少なくとも２つのカラムを含み、該操作は、少なくとも２つのカラムが相互連結状態及び分断状態で操作されることで実施することができ、これらのカラムが、そのような相互連結状態及び分断状態のシーケンスの後に位置を切り替え、少なくとも１つ又は各カラムの下流に検出器が配置されており、該検出器の通過時に所望の生成物及び／又は不純物の検出が可能である方法が提案されている。
【００１１】
特許文献３は、２つのクロマトグラフィー用カラム（吸着体）を使用して混合物から所望の生成物画分を単離するクロマトグラフィー精製方法、かかるプロセスの設定方法、さらにはこれに関連する制御及び／又は監視及び／又は最適化のプロセスにも関する。該方法は、少なくとも１回実施すべき１サイクル内に、以下のステップ、すなわち、第１のバッチステップ（Ｂ１）であって、バッチ期間中に前述の吸着体を切り離し、第１の流量を用いて第１の吸着体にその入口を通じてフィードを充填し、その出口を廃棄部に向け、第２の吸着体から所望の生成物をその出口を通じて回収し、続いて第２の吸着体を再生させるステップと、第１の相互連結ステップ（ＩＣ１）であって、相互連結期間中に、第１の吸着体の出口を第２の吸着体の入口に連結し、第１の流量と同一の又はそれよりも大きな第２の流量を用いて、第１の吸着体にその動的貫流容量（ｄｙｎａｍｉｃ  ｂｒｅａｋｔｈｒｏｕｇｈ  ｃａｐａｃｉｔｙ）を上回る量でその入口を通じてフィードを充填し、第２の吸着体の出口を廃棄部に向けるステップと、第１のバッチステップ（Ｂ１）に類似しているが吸着体が交換されている第２のバッチステップ（Ｂ２）と、第１の相互連結ステップ（ＩＣ１）に類似しているが吸着体が交換されている第２の相互連結ステップ（ＩＣ２）とを含む。
【先行技術文献】
【特許文献】
【００１２】
【特許文献１】欧州特許出願公開第１８７７７６９号明細書
【特許文献２】米国特許出願公開第２０１７／２４１９９２号明細書
【特許文献３】国際公開第２０１４／１６６７９９号
【発明の概要】
【００１３】
本発明の目的の１つは、循環クロマトグラフィー精製プロセスを監視、評価及び制御するための改善された方法を提案することである。
【００１４】
提案される方法は、溶離のクロマトグラフィープロファイル、すなわち濃度比例シグナルを監視して溶離の進行中に動作するため、直ちに実行される。さらにこの方法では、分離を記録するクロマトグラフィーモデルも、実際の値と設定値との有限誤差に基づいて動作する制御アルゴリズムも不要である。一方で、この方法では閾値を用いており、これらの閾値に達する又はこれらの閾値を上回ることに基づいて制御動作を開始する。設定値の決定には、この方法では、設計グラジエントクロマトグラム（ｄｅｓｉｇｎ  ｇｒａｄｉｅｎｔ  ｃｈｒｏｍａｔｏｇｒａｍ）を評価することにより取得可能な、クロマトグラフィー分離に関するいくつかの知識が必要である。場合によっては、例えばピーク最大値を基準として設定値を自動的に決定することが可能である。そのため、設定値の決定には、溶離時間／体積（ｘ軸）についてのクロマトグラムの位置は重要ではなく、この決定は、クロマトグラムの大きさ（ｙ軸）にのみ基づく。
【００１５】
提案されるプロセス制御方法は、環境問題、並びに次善のプロセス性能の向流プロセスとなり得る、吸着体性能の操作パラメーターの変動及び相違の問題に対処するものである。提案される方法を用いることで、このプロセスはその設定値で確実に動作する。
【００１６】
提案される方法は、ａ．）実質的に連続的に監視する要素と、ｂ．）クロマトグラムを、好ましくは溶離タスクを実施している吸着体の出口で評価する要素と、ｃ．）評価された情報に基づいて制御動作を始動させる要素とを含む。
【００１７】
より具体的には、本発明は、所望の生成物成分（又は化合物）（Ｐ）と不純物（Ｗ、Ｓ）とを含有する供給混合物（フィード）を含む液体を通す少なくとも２つの吸着体（好ましくは２つ以上の吸着体、３つ以上の吸着体又は４つ以上の吸着体）を含む循環クロマトグラフィー精製プロセスを監視、評価及び制御する方法に関する。
【００１８】
典型的には、これらの吸着体は、少なくとも２つの吸着体が連続する相互連結段階及び分断段階のシーケンスで操作されること、並びにそのような連続する相互連結段階及び分断段階のシーケンスの後に吸着体の位置を切り替えることで、交互に操作される。吸着体が２つある場合、例えばカラムが２つある場合、そのシーケンスは完全に規定される。これに関して、これらの２つの吸着体はそれぞれ、直列式に相互連結されてこのプロセスにおいて分断されずにその相互連結したシーケンスで維持される、２つ、３つ又はさらには４つ以上の吸着体（カラム）群としても示され得ることにも留意すべきである。
【００１９】
２つを超える吸着体が存在する状況については、２つの吸着体（又は吸着体群）をつなぎあわせる相互連結段階Ｉ１にバッチ段階Ｂ１が常に続き、このバッチ段階Ｂ１では同一の２つの吸着体を操作して、前の上流の吸着体（又は吸着体群）から生成物Ｐを溶離させる、という意味合いで、相互連結段階及び分断段階のシーケンスが維持される。よって、図３〜８で概説されて以下でさらに説明される制御は、カラムを３つ以上使用するプロセスにおいても実施可能である。これらのプロセスには、この意味合いで相互連結段階及びバッチ段階が存在すればよく、以下に詳述される濃度比例シグナルは、好ましくは、これらの同一の吸着体のうちの少なくとも１つの吸着体の出口で、好ましくは上流の吸着体の出口のみで、又は２つの吸着体の出口又はすべての吸着体の出口で測定されるためである。さらに好ましくは、濃度比例シグナルは、以下の位置のうちの少なくとも１箇所で測定することが可能である：所望の生成物のバッチ溶離段階（Ｂ１）における吸着体の出口、及び相互連結段階（Ｉ１、Ｉ２）における上流の吸着体の出口で測定することが可能であり、好ましくはこれらの位置のみで測定することが可能である。吸着体又は吸着体群を２つ含むようなシーケンスＩ１、Ｂ１それぞれに並行して、さらなる吸着体又は吸着体群によって、例えば洗浄、平衡化又は反応ステップなどの他のタスクを独立して実施することができる。
【００２０】
段階Ｉ１、Ｂ１それぞれに並行して、また２つのさらなる吸着体又は２つの吸着体群を含む段階Ｉ２、Ｂ２にも並行して、追加の吸着体又は吸着体群によって、例えば洗浄、平衡化又は反応ステップなどのその他のタスクを独立して実施することができる。３つの吸着体についてのそのようなプロセスの一例を、図１０ａに示す。したがって、３つの吸着体又は３つの吸着体群を使用するプロセスでは、吸着体の位置は、プロセスの段階Ｂ２の後でのみ変えられる。同様に、４つの吸着体又は４つの吸着体群を用いるプロセスを、図１０ｂに図示したように操作することができる。
【００２１】
特許文献１に開示されているプロセスも十分に適合しており、また相互連結段階と、それに続くバッチ段階とを有することを要件とした本発明の概念を用いて操作可能であるため、ここでも本発明を、（例えば、特許文献１の図２０、２２又は２３に記載のプロセスに対して）適用することができる。特許文献１では、「Ｉ１」及び「Ｉ２」に対応する相互連結段階は「ＣＣＬ」と称され、バッチ段階「Ｂ１」及び「Ｂ２」は「ＢＬ」と称される。不純物（Ｗ、Ｓ）について、不純物（Ｗ又はＳ）は１つしか存在できないため、生成物よりも吸着性の弱い不純物（Ｗ）のみを有する（２極）分布になる。或いは、生成物よりも吸着性の強い不純物（Ｓ）のみが存在し得る。また、生成物よりも吸着性の弱い不純物（Ｗ）と、生成物よりも吸着性の強い不純物（Ｓ）とが存在する状況も可能である。
【００２２】
精製プロセスは、少なくとも下記の２つの異なる段階（Ｉ、Ｂ）を含む。
上流の吸着体の出口が下流の吸着体の入口と流体連通していることで、２つの吸着体が相互連結している、少なくとも１つの相互連結段階（Ｉ）と、
少なくとも１つの吸着体がそれ以外の吸着体と流体連通しておらず、所望の生成物成分（Ｐ）が、精製された形態で、好ましくは分断された吸着体からの形態で、回収される、少なくとも１つのバッチ段階（Ｂ）
【００２３】
本発明によれば、本方法は、少なくとも以下のステップ、すなわち
ａ．  液体における少なくとも１つの現在の濃度比例シグナルの測定を含む、クロマトグラムの監視ステップと、
ｂ．  ステップａ．で測定した少なくとも１つの前記現在の濃度比例シグナルとその閾値との比較を含む、クロマトグラムの評価ステップと、
ｃ．  ステップｂ．の比較に応じて現在実行中の段階の終了を調整し、かつ次の段階を開始することによる、クロマトグラフィー精製プロセスの制御ステップと
を含み、シーケンスａ．〜ｃ．は、１回の分離プロセスにおいて、記載の順序で少なくとも２回続けて実施される。
【００２４】
よって、このプロセスは、シーケンスａ．〜ｃ．を必要に応じて又は必要なだけ繰り返すことにより循環式に実施される。
【００２５】
典型的には、このプロセスは、シーケンスａ．〜ｃ．を、一定時間にわたり、例えば１０〜２００時間の期間にわたり、又はしばしば１２〜５２時間若しくは２４〜４８時間にわたり繰り返すことにより循環される。或いは、このプロセスは、供給量に応じてシーケンスａ．〜ｃ．を繰り返すことにより循環式に実施され、すなわち、供給量の処理が完了するまでシーケンスａ．〜ｃ．が繰り返される。
【００２６】
例えば、連続発酵に基づくプロセスの場合、シーケンスａ．〜ｃ．を、発酵プロセスが終了するまで循環させることができ、これは、数週間又は数ヶ月まで、例えば１〜２０週間又は４〜８週間であり得る。或いは、このプロセスは連続的に実行され、すなわち、シーケンスａ．〜ｃ．は、吸着体の交換又は洗浄が必要になるまで繰り返される。
【００２７】
第１の好ましい実施形態によれば、濃度比例シグナルは、その絶対値、その積分値、その傾き及びその傾きの符号のうちの少なくとも１つについて考慮され、好ましくは、これらの組み合わせが考慮され、最も好ましくは、絶対値とその傾きの符号との組み合わせが考慮される。
【００２８】
ステップａ．で測定される濃度比例シグナルは、好ましくは少なくとも１つの吸着体の出口で、好ましくは２つの吸着体の出口で、又はすべての吸着体の出口で測定可能である。さらに好ましくは、濃度比例シグナルは、以下の位置のうちの少なくとも１箇所又は１箇所のみで測定することが可能である。
所望の生成物のバッチ溶離段階（Ｂ１）における吸着体の出口、及び
相互連結段階（Ｉ１、Ｉ２）における上流の吸着体の出口
よって、濃度比例シグナルを、稼働中の２つの吸収体のうちの上流の吸着体の出口のみで測定し、かつ生成物を溶離させる吸着体のバッチ段階で測定することが好ましい。
【００２９】
好ましい実施形態によれば、精製プロセスは、少なくとも４つの異なる段階（Ｉ１、Ｂ１、Ｉ２、Ｂ２）、すなわち
上流の吸着体の出口が下流の吸着体の入口と流体連通していることで、２つの吸着体が相互連結しており、溶媒が、前記入口を通じて上流の吸着体に入り、所望の生成物成分（Ｐ）及び吸着性の弱い不純物（Ｗ）が、好ましくは実質的に所望の生成物成分（Ｐ）のみが上流の吸着体の出口を通じて出るまで上流の吸着体から下流の吸着体に送られ、好ましくは、インライン希釈が上流の吸着体と下流の吸着体との間で実施される、少なくとも１回の第１の相互連結段階（Ｉ１）、
複数の吸着体が流体連通しておらず、溶媒が、入口を通じて第１の相互連結段階（Ｉ１）の上流の吸着体に入り、この生成物溶離吸着体の出口を通じて所望の生成物成分（Ｐ）が収集され、一方で、供給混合物（フィード）を含む液体が、入口を通じて第１の相互連結段階（Ｉ１）の下流の吸着体に入り、この吸着体の出口を通じて通常は吸着性の弱い不純物が収集される、少なくとも１回の第１のバッチ段階（Ｂ１）、
第１の相互連結段階（Ｉ１）の上流の吸着体の出口が、第１の相互連結段階（Ｉ１）の下流の吸着体の入口に連結していることで、２つの吸着体が相互連結しており、溶媒が、入口を通じて上流の吸着体に入り、所望の生成物化合物（Ｐ）及び吸着性の強い不純物（Ｓ）が、好ましくは実質的に所望の生成物化合物（Ｐ）が上流の吸着体の出口を通じて出なくなるまで上流の吸着体から下流の吸着体に送られ、さらに好ましくは、インライン希釈が上流の吸着体と下流の吸着体との間で実施される、少なくとも１回の第２の相互連結段階（Ｉ２）、
吸着体が流体連通しておらず、溶媒が、入口を通じて第２の相互連結段階（Ｉ２）の上流の吸着体に入り、この前の上流の吸着体の出口を通じて吸着性の強い不純物（Ｓ）が収集され、一方で、溶媒が、入口を通じて第２の相互連結段階（Ｉ２）の下流の吸着体に入り、この前の下流の吸着体の出口を通じて吸着性の弱い不純物が収集される、少なくとも１回の第２のバッチ段階（Ｂ２）であって、
を記載の順序で含み、段階（Ｉ１、Ｂ１、Ｉ２、Ｂ２）の機能が、同期して又は好ましくは順次満たされ、かつ循環式に少なくとも２回実施され、切替時間の後又は切替時間内に循環するときに、第２のバッチ段階（Ｂ２）の前の上流の吸着体が移動して、続く第１の相互連結段階（Ｉ１）における下流の吸着体になり、第２のバッチ段階の前の下流の吸着体が移動して、続く第１の相互連結段階（Ｉ１）における上流の吸着体になる。このプロセスは実質的に、以下に詳述される図１に図示されるものである。
【００３０】
そのような精製方法に関して、ステップａ．は、好ましくは、液体における少なくとも１つの現在の濃度比例シグナルを、第１の相互連結段階（Ｉ１）の上流の吸着体の出口で測定することを含み、好ましくは、絶対値及びその傾きの符号のうちの少なくとも１つ、好ましくはこれら２つの組み合わせを測定する。
【００３１】
絶対値及び好ましくはその傾きの符号も測定することができ、絶対値閾値を上回ったときに、続く第１のバッチ段階（Ｂ１）を、固定持続長の第１のバッチ段階として、又はさらなる監視、評価及び制御に合わせて調整された長さの第１のバッチ段階として開始することができる。
【００３２】
絶対値閾値を上回ったときに、続く第１のバッチ段階（Ｂ１）が、固定持続長の第１のバッチ段階として、又はさらなる監視、評価及び制御に合わせて調整された長さの第１のバッチ段階として開始されるまで、固定遅延にわたり待機してもよい。
【００３３】
第１の絶対値閾値を上回ったときに、最低固定遅延にわたり待機してもよく、その後、第２の絶対値閾値を上回ったときに、好ましくはその傾きが正であるというさらなる条件を確認して、続く第１のバッチ段階（Ｂ１）を、固定持続長の第１のバッチ段階として、又はさらなる監視、評価及び制御に合わせて調整された長さの第１のバッチ段階として開始する。
【００３４】
さらなる監視、評価及び制御に合わせて調整された長さの第１のバッチ段階Ｂ１について言及する場合、これは例えば、以下でさらに詳述される生成物溶離ステップの長さの制御に関連する。
【００３５】
生成物溶離ステップがいつ開始するかを決定するためのこれらの様々な方法を組み合わせることもできる。
【００３６】
ステップａ．は、液体における少なくとも１つの現在の濃度比例シグナルを、第１のバッチ段階（Ｂ１）の生成物溶離吸着体の出口で測定することを含んでいてもよく、好ましくは、絶対値及びその傾きの符号のうちの少なくとも１つ、好ましくはこれら２つの組み合わせを測定する。そのような測定に関して、絶対値閾値を下回ったときに、好ましくはその傾きが負であるというさらなる条件を（連続的に）確認して、続く第２の相互連結段階（Ｉ２）を、固定持続長の第２の相互連結段階として、又はさらなる監視、評価及び制御に合わせて調整された長さの第２の相互連結段階として開始することができる。
【００３７】
ステップａ．は、液体における少なくとも１つの現在の濃度比例シグナルを、第２の相互連結段階（Ｉ２）の上流の吸着体の出口で測定することを含んでいてもよく、好ましくは、絶対値及びその傾きの符号のうちの少なくとも１つ、好ましくはこれら２つの組み合わせを測定し、好ましくはその傾きが負であるというさらなる条件を確認して、絶対値閾値を下回ったときに、続く第２のバッチ段階（Ｂ２）を、固定持続長の第２のバッチ段階として、又はさらなる監視、評価及び制御に合わせて調整された長さの第２のバッチ段階として開始する。
【００３８】
循環クロマトグラフィープロセスでは、少なくとも２つの吸着体を使用することができ、各サイクルは、部分的に純粋な異なる副次的画分（Ｗ／Ｐ、Ｐ／Ｓ）の内部再循環のために２つの吸着体が流体連通している少なくとも２回の相互連結段階を含んでいてもよい。ステップａ．で、絶対シグナル及びその傾きのうちの少なくとも１つが、上流の吸着体それぞれの出口で測定されることが好ましい。
【００３９】
また、傾きの符号の変化を制御動作の判定基準として使用することができる。
【００４０】
プロセスの溶離グラジエントは、相互連結段階及び第１のバッチ段階（Ｉ１、Ｂ１、Ｉ２）の両方に渡ってプロセスで使用される液体移動相の体積について一定の傾きを有していてもよいし、イソクラティックモード（傾きゼロ）で実行されてもよい。
【００４１】
プロセスのある段階を停止してプロセスの新たな段階を開始するための閾値は、クロマトグラフィープロセスの同一の又は先行するサイクル中に記録される濃度比例シグナルと関連づけて定め得ることが好ましい。
【００４２】
さらに、所定の溶離体積又は時間又はグラジエント濃度内で定められた閾値に達しないことに基づいて制御動作を始動させることができる。
【００４３】
濃度比例シグナルは、典型的には、可視光、ＵＶ、赤外線、蛍光、ラマン、イオン強度、導電率又は屈折率の測定に基づく。
【００４４】
クロマトグラムを監視する好ましい１つの手法は、濃度比例シグナルを、少なくとも１つの吸着体の出口で、吸着体が２つの場合には好ましくは両方の出口で、２を超える吸着体を使用する場合には好ましくは各吸着体の出口で、監視することを含む。
【００４５】
濃度比例シグナルの監視は、ＵＶシグナルを収集することにより実施可能であり、これは、その絶対シグナル、その積分値、その傾き又はその傾きの符号によることができる。
【００４６】
クロマトグラムを評価する好ましい手法は、上記のパラメーターのうちの少なくとも１つのパラメーターの現在の値と設定値とを比較し、この比較に基づいて制御動作を始動させることである。
【００４７】
好ましい制御動作は、現在実行中の段階、例えば生成物の内部再循環のためのＩＣ１を停止して、次の段階、例えば生成物収集のためのＢ１を開始することである。
【００４８】
この制御方法によって、クロマトグラムのシフトを招く、例えば移動相の組成及び温度、吸着体の温度、カラム式の吸着体の場合には充填層の高さの差、カラム式の吸着体の場合には充填圧縮率、ファウリング、並びに容積低下といったプロセスパラメーターの変化を相殺させ得ることが判明した。
【００４９】
この方法の監視部は、濃度比例シグナルの値及び／又はこのシグナルの傾きを、上流の吸着体の出口で、段階Ｉ１、Ｂ１及びＩ２中に、また段階Ｂ２の帯域４における化合物「Ｗ」の溶離中に記録することを含んでいてもよい。
【００５０】
濃度比例シグナルの傾きを監視することにより、ピークフロント（濃度比例シグナルの傾き＞０）又はピークテール（濃度比例シグナルの傾き＜０）において制御動作が始動されるようにこの方法を適用することができる。この方法の評価部は、濃度比例シグナルが定められた閾値に達したかどうかを連続的に確認し、閾値に達した場合に制御動作を始動させる。
【００５１】
閾値は、（例えば設計クロマトグラムの知識に基づいて）事前に設定されてもよいし、１回又は複数回の先のサイクルからの情報に基づいて制御方法により自動的に決定されてもよい。例えば、閾値は、主要化合物又はそれより早く溶離する「Ｗ」化合物のピーク高さのパーセンテージとして表すことが可能である。
【００５２】
さらなる好ましい実施形態において、マルチ吸着体向流溶媒グラジエント精製プロセスを監視、評価及び制御する方法は、以下の要素、すなわち
ａ．  その絶対シグナル、その積分値、その傾き若しくはその傾きの符号、又はそれらの組み合わせについての濃度比例シグナルの監視と、
ｂ．  上記のパラメーターのうちの少なくとも１つのパラメーターの現在の値と設定値とを連続的に比較することを含む、クロマトグラムの評価と、
ｃ．  プロセスの制御は、現在の値と設定値との整合性に基づいてマルチ吸着体向流溶媒グラジエント精製プロセスの現在実行中の段階を終了すること、及び新たな段階を開始することを含む、
を含み、ここで、ａ．〜ｃ．は、精製プロセスの操作中に少なくとも１回実施される。
【００５３】
本発明の意味合いでの濃度比例シグナルという表現は、クロマトグラフィー実行における生成物又は不純物の濃度に対するシグナルの比例関係を指し得るが、代替的には修飾剤の濃度に対する比例関係を指す場合もあり、この濃度としては、これらに限定されるものではないが、塩濃度又は有機修飾剤濃度のうちの少なくとも１つが挙げられる。
【００５４】
好ましい実施形態において、マルチ吸着体向流溶媒グラジエント精製プロセスでは、吸着体が２つ使用される。しかし、２つを超える吸着体、例えば、吸着体を３つ、４つ、５つ又はさらには６つ使用することも可能である。
【００５５】
好ましい実施形態において、この方法では、内部再循環の段階と生成物溶離の段階との間にクロマトグラムを監視し、閾値に基づいて制御動作を始動させる。
【００５６】
このプロセスでは、ちょうど２つの吸着体を使用することが好ましい。
【００５７】
好ましい実施形態において、この方法は、
（ａ）  濃度比例シグナルの傾き及び／又は値を、上流の吸着体の出口で、吸着性の弱い不純物の内部再循環（段階Ｉ１）中に監視すること、
（ｂ）  濃度比例シグナルの傾きが正である間に、濃度比例シグナルの値と定められた閾値とを連続的に比較すること、及び閾値に達したときに、
（ｃ）  段階Ｉ１の実施を停止して段階Ｂ１を開始すること、ここで、Ｂ１は、固定の持続長か、又は別の閾値に応じて可変の持続長を有する
を含む。
【００５８】
別の好ましい実施形態において、この方法は、
（ａ）  濃度比例シグナルの傾き及び／又は値を、上流の吸着体の出口で、吸着性の弱い不純物の内部再循環（段階Ｉ１）中に監視すること、
（ｂ）  濃度比例シグナルの傾きが正である間に、濃度比例シグナルの値と定められた閾値とを連続的に比較すること、及び閾値に達したときに、
（ｃ）  段階Ｉ１を一定時間にわたり継続（遅延）し、それから段階Ｉ１の実施を停止して段階Ｂ１を開始すること、ここで、段階Ｂ１は、固定持続長を有し、遅延は、所定の持続長か、又は別の閾値に応じて可変の持続長を有する
を含む。
【００５９】
さらなる別の好ましい実施形態では、最小値に関連し得る遅延期間を、段階Ｉ１で始動させるために使用される閾値と同一の又は異なり得る閾値に基づいて段階Ｂ１が開始されるように、先の方法を修正する。最低持続長を遅延に割り当てる理由は、主要生成物の前に不純物が溶離して第２の閾値の値に達することを原因として段階Ｂ１が予定よりも早く開始されるのを回避することにある。遅延期間は、時間又は体積について定式化することが可能である。
【００６０】
さらなる好ましい実施形態において、この方法は、
（ａ）  濃度比例シグナルの傾き及び／又は値を、生成物溶離吸着体（段階Ｂ１）の出口で監視すること、
（ｂ）  濃度比例シグナルの傾きが負である間に、濃度比例シグナルの値と定められた閾値とを連続的に比較すること、及び閾値に達したときに、
（ｃ）  試料の充填は段階Ｂ１の初めに行われ、他方の吸着体の溶離が閾値に達するまで進行している短い時間の後に停止され、Ｉ２は所定の持続長か、又は別の閾値に応じて可変の持続長を有するように試料の充填が調整されるように、段階Ｂ１の実施を停止して段階Ｉ２を開始すること
をさらに含む。
【００６１】
別の好ましい実施形態では、Ｉ２の終点を閾値により決定し、この閾値に達したときに、（ｃ）段階Ｉ２の実施を停止して段階Ｂ２を開始する。
【００６２】
その他の好ましい実施形態では、段階Ｂ１の開始に関連する上記の方法のいずれかが、段階Ｂ１の停止に関連する方法と組み合わされる。
【００６３】
よって、これらの方法の組み合わせも可能であり、Ｉ１における遅延期間の開始は、第１の閾値に基づき、生成物収集段階Ｂ１の開始は、ＵＶシグナルの傾きが正である間の第２の閾値に基づき、段階Ｂ１の停止（及び段階Ｉ２の開始）は、第３の閾値に基づく。
【００６４】
上記の方法のいずれかの方法の他の好ましい実施形態では、制御動作を始動させるために、クロマトグラムの傾きのさらなる情報が使用される。方法の好ましい実施形態において、固定持続長ありの遅延体積を使用する上記の方法では、遅延を停止して、第２の閾値に達するためのシグナルの評価を継続する判定基準として、傾きの符号の変化を代わりに使用してもよい。
【００６５】
いずれの方法も、このプロセスで使用される移動相の体積についての傾きに関して、溶離グラジエントを、段階Ｉ１、Ｂ１、Ｉ２を通して、好ましくは、成分「Ｗ」の溶離（２つの吸着体を用いる構成では段階４）中に使用されるグラジエント傾きで実行及び拡張し続けることを含み得る。これは、マルチ吸着体プロセスの溶離グラジエントが、段階Ｉ１、Ｂ１、Ｉ２にわたり、このプロセスで使用される移動相の体積について一定の傾きを有することを意味する。
【００６６】
記載の方法において、閾値は、同一の実行又はサイクル中に得られる情報に基づき定められ得るため、これらは、実行又はサイクルが開始する時点では不明であってもよい。そのような場合、１回目のサイクルを部分的又は完全に実行した後、残りのサイクル（サイクルが評価時点で部分的に完了している場合）又はクロマトグラフィープロセスの残りの実行について有効な、記録されたシグナルの評価に基づく閾値をこの方法により決定することができる。したがって、プロセスのある段階を停止してプロセスの新たな段階を開始するための閾値は、クロマトグラフィープロセスの同一の又は先行する実行中に記録される濃度比例シグナルと関連づけて定められている。
【００６７】
提案される方法は、特定の溶離体積内で定められた閾値に達しないことに基づいて制御動作を始動させることも含む。これは、例えば、クロマトグラフィープロセスにおいて使用されるポンプのうちの１つが適切に作動していないためにクロマトグラムが溶離しない場合に起こり得る。好ましい動作は、移動相を供給するために使用されるポンプを停止することである。基準値は、設計クロマトグラムから得ることが可能である。
【００６８】
好ましい実施形態において、濃度比例シグナルは、可視光、ＵＶ、赤外線、蛍光、ラマン、イオン強度、導電率又は屈折率の測定に基づく。
【００６９】
上記の方法の説明において、持続長は、時間又は体積に関して作成される。時間ｔ及び体積Ｖは、対応する段階で使用される体積流量Ｑを用い、Ｖ＝Ｑ×ｔを用いて相互に変換可能である。濃度比例シグナルの傾きも、体積又は時間と関連づけて定めることが可能である。
【００７０】
本発明のさらなる実施形態は、従属請求項に規定されている。本発明において、「溶媒」という用語には、緩衝液及びその他の種類の移動相も含まれる。本発明において、「吸着体」という用語は、充填層クロマトグラフィー用カラムか、又は膜、繊維系吸着体及びモノリス吸着体を含むクロマトグラフィー用固定相を収容したその他の装置を含む。
【図面の簡単な説明】
【００７１】
本発明の好ましい実施形態について、以下で図面を参照して説明するが、これは、本発明の好ましい実施形態を説明することを目的としており、本発明の限定を目的としたものではない。
【図１】ＭＣＳＧＰプロセスの概略図を示し、具体的に、これは、ツイン吸着体向流溶媒グラジエント精製（ＭＣＳＧＰ）プロセスの１回目の半サイクル（「切り替え」）の図であり、垂直の破線は、この図の下側部分に示される概略的バッチクロマトグラムの帯域に対応する様々なＭＣＳＧＰプロセスタスクを分割しており、段階Ｉ１、Ｂ１、Ｉ２、Ｂ２が順次実施される。
【図２】ａ）は、帯域６が適切に配置されたクロマトグラムを示し、ｂ）は、帯域６が不都合にもシフトして、吸着性の強い不純物が含まれるクロマトグラムを示し、具体的には、ＭＣＳＧＰ実行からの単一生成物の溶離の概略的クロマトグラムが、固定された生成物溶離ウィンドウの位置あり、制御方法なしで示されており、ａ）は、生成物ピークが収集されており、かつ大部分の不純物が生成物プールから排除されている最適な動作条件下での実行を示し、ｂ）は、クロマトグラムがより早い溶離時間にシフトして濃度及び純度の低い生成物が生じた実行を示す。
【図３】２つの吸着体のうちの一方からの単一生成物の溶離及び段階Ｉ１、Ｂ１、Ｉ２及びＢ２を示すＭＣＧＳＰクロマトグラムに基づく制御方法（Ａ）の概略図を示す。
【図４】２つの吸着体のうちの一方からの単一生成物の溶離及び段階Ｉ１、Ｂ１、Ｉ２及びＢ２を示すＭＣＧＳＰクロマトグラムに基づく制御方法（Ｂ）の概略図を示す。
【図５】２つの吸着体のうちの一方からの単一生成物の溶離及び段階Ｉ１、Ｂ１、Ｉ２及びＢ２を示すＭＣＧＳＰクロマトグラムに基づく制御方法（Ｃ）の概略図を示す。
【図６】２つの吸着体のうちの一方からの単一生成物の溶離及び段階Ｉ１、Ｂ１、Ｉ２及びＢ２を示すＭＣＧＳＰクロマトグラムに基づく制御方法（Ｄ）の概略図を示す。
【図７】２つの吸着体のうちの一方からの単一生成物の溶離及び段階Ｉ１、Ｂ１、Ｉ２及びＢ２を示すＭＣＧＳＰクロマトグラムに基づく制御方法（Ｅ）の概略図を示す。
【図８】２つの吸着体のうちの一方からの単一生成物の溶離及び段階Ｉ１、Ｂ１、Ｉ２及びＢ２を示すＭＣＧＳＰクロマトグラムに基づく制御方法（Ｆ）の概略図を示す。
【図９】ａ）は、２つの異なる吸着体を用いて操作されるＭＣＳＧＰ実行の１０回のサイクルのクロマトグラムを示し、ｂ）は、上記の１０回のサイクルの重なったクロマトグラムが、１００ｍＡＵの閾値を示し、段階Ｉ１、Ｂ１、Ｉ２及びＢ２を示す。
【図１０ａ】３つの吸着体を含むプロセスの概略図を示す。制御方法に関与する吸着体は灰色でハイライトされており、他のタスク、例えば、洗浄、平衡化又は反応ステップを実施する吸着体は、ハイライトされていない。
【図１０ｂ】４つの吸着体を含むプロセスの概略図を示す。制御方法に関与する吸着体は灰色でハイライトされており、他のタスク、例えば、洗浄、平衡化又は反応ステップを実施する吸着体は、ハイライトされていない。
【発明を実施するための形態】
【００７２】
吸着体２つのＭＣＳＧＰプロセス（例えば、２つのクロマトグラフィー用カラム又は膜吸着体を有する）の原理を、図１に示す。図１の下部の概略的クロマトグラムは、バッチクロマトグラフィーの実行において実施されるタスク（帯域１では平衡化、帯域２では供給、帯域３では洗浄、帯域４〜７では溶離、帯域８では洗浄及び再平衡化）に応じて様々な区分（垂直の破線）に分けられたバッチクロマトグラムを表す。クロマトグラムにおいて、溶離段階は、吸着性の弱い不純物（Ｗ）、生成物（Ｐ）、及び吸着性の強い不純物（Ｓ）の溶離順序に応じて、さらなる帯域に細分化される（帯域４ではＷの溶離、帯域５では重なり部分Ｗ／Ｐの溶離、帯域６では純粋なＰの溶離、帯域７では重なり部分Ｐ／Ｓの溶離）。吸着体２つのＭＣＳＧＰプロセスにおいて、帯域４〜７のこれらの個別のタスクは、バッチクロマトグラフィーの場合と同様に実施されるが、ただし、Ｗ／Ｐ及びＰ／Ｓ（帯域５及び７）の溶離液が、Ｐの回収のために第２の吸着体に送られるという決定的な差がある。したがって、単一吸着体バッチプロセス及びＭＣＳＧＰプロセスのプロセスタスクは類似しており、ＭＣＳＧＰの操作パラメーターをバッチ操作パラメーター及び対応するクロマトグラムから導き出すことが可能である。
【００７３】
吸着体２つのＭＣＳＧＰプロセスの全サイクルは、２回の「切り替え」を含んでおり、４対のタスク（Ｉ１、Ｂ１、Ｉ２、Ｂ２）をそれぞれ、図１に示す。各切り替えにおける段階は同一であり、違いは吸着体の位置のみである。１回目の切り替えにおいて、吸着体１は吸着体２の下流にあり、２回目の切り替え（図１には図示せず）において、吸着体２は吸着体１の下流にある。４つの段階は、以下のタスクを含む：
段階Ｉ１：第１の相互連結段階。重なり部分Ｗ／Ｐを上流の吸着体（図１における帯域５）から溶離させ、相互連結モードで内部循環させて下流の吸着体（帯域１）に送る。通常、これらの吸着体の間で、流れを緩衝液／溶媒によりインライン希釈して、Ｐ（及び重なったＷ）を下流の吸着体において再吸着させる。段階Ｉ１の終わりには、純粋な生成物は、上流の吸着体（帯域５）の出口において、溶離の準備が整う。
【００７４】
欧州特許出願公開第１８７７７６９号明細書の図２８では、この段階はステップ「１」と称される。
【００７５】
段階Ｂ１：第１のバッチ段階。帯域５における吸着体（図１における吸着体２）から純粋なＰを溶離させて収集し、重なり部分Ｐ／Ｓ及びＳを吸着体中に維持する。同時に、帯域２における吸着体に新しいフィードを注入する。
【００７６】
欧州特許出願公開第１８７７７６９号明細書の図２８では、この段階はステップ「２」と称される。
【００７７】
段階Ｉ２：第２の相互連結段階。上流の吸着体（帯域７）から重なり部分Ｐ／Ｓを溶離させ、内部循環させて下流の吸着体（帯域３）に送る。通常、これらの吸着体の間で、流れを緩衝液／溶媒によりインライン希釈して、Ｐを下流の吸着体において再吸着させる。このステップの終わりには、残留したＰがすべて上流の吸着体から溶離し、Ｓのみが上流の吸着体に残る。
【００７８】
欧州特許出願公開第１８７７７６９号明細書の図２８では、この段階はステップ「３」と称される。
【００７９】
段階Ｂ２：第２のバッチ段階。帯域８の吸着体（図１における吸着体２）を洗浄してＳを除去し、再平衡化させる。同時に、帯域４において、もう一方の吸着体からＷを溶離させる。
【００８０】
欧州特許出願公開第１８７７７６９号明細書の図２８では、この段階はステップ「４」と称される。
【００８１】
これらのタスクを完了した後に、吸着体は位置を入れ替え、次の段階Ｉ１（図１には図示せず）では、吸着体２は下流位置（帯域１）にあり、吸着体１は上流位置（帯域５）にある。このＩ１段階の始めに、吸着体２を洗浄し、再平衡化させ、吸着体１からＷ／Ｐ画分を取り込む準備が整う。２回目のＢ１、Ｉ２及びＢ２を完了した後に、吸着体はその元の位置に戻り、１回のサイクルの完了となる。そして、吸着体１は汚れがなくなり、次の段階Ｉ１（図１に示される）において吸着体２からＷ／Ｐを取り込む準備が整う。
【００８２】
その他の向流クロマトグラフィープロセスと同様に、ＭＣＳＧＰにおいて実際には、吸着体の物理的な移動によってではなく、バルブ切り替えによる吸着体の入口及び出口の連結及び分断によって、吸着体の移動を擬似的に行う。
【００８３】
そのようなマルチ吸着体向流プロセスのプロセス設計は、生成物及び不純物の化合物を本質的に多くの異なる帯域に溶離させることを示す図１に図示されているように、「設計クロマトグラム」を分割することによるものである。プロセス設計に重要なのは、吸着性の弱い不純物が単独で存在する第１の帯域（図１における帯域４）、吸着性の弱い不純物Ｗが生成物化合物Ｐと重なる第２の帯域（図１における帯域５）、純粋な生成物Ｐが存在する第３の帯域（図１における帯域６）、生成物Ｐと吸着性の強い不純物Ｓとが重なる第４の帯域（図１における帯域７）、並びに吸着性の強い不純物Ｓが単独で存在する第５の帯域（図１における帯域８）である。
【００８４】
プロセス設計の一部として、異なる帯域の間に境界を配置して、単一吸着体バッチクロマトグラムからプロセス操作パラメーター（グラジエント濃度、ポンプ流量）を決定する位置に配置する必要がある。境界の配置は、時間に関係詞、かつ体積流量を介して時間に変換可能な溶離体積に基づいて行われる。境界の配置は、プロセス性能、すなわち生成物純度及び生産性にとって重要である。例えば、生成物溶離帯域（図１における帯域６）を誤って配置すると、吸着性の弱い不純物が生成物プールに含まれ、純度の仕様が満たされなくなることがある。
【００８５】
しかし、最初は適切に設計されていたとしても、後の段階において、外部要因が、記載のマルチ吸着体向流プロセスの生成物純度及びプロセス性能に不都合な効果を与えることがある。新たに調製された移動相は、組成が僅かに異なることがあり、環境温度が変化して、クロマトグラフィー吸着プロセスに影響を与えることがある。固定相の容量は、経時的に変化し得る。
【００８６】
ほとんどの場合、これらの要因によりクロマトグラフィープロファイルがシフトするが、生成物及び不純物の分離能は類似したままである。しかし、シフトしたクロマトグラムは、マルチ吸着体向流プロセスを設計するために使用された元の設計クロマトグラムに比べて、ピーク位置が異なることがある。
【００８７】
これは、元の設計クロマトグラムによる異なる帯域間での境界配置が、もはや正確ではなく、ピークのシフトの結果として、生成物純度が損なわれる可能性があることを意味する。
【００８８】
図２に例を示す。生成物収集ウィンドウが最適に配置されている（図２ａ）が、クロマトグラムがわずか約１分早く溶離する場合には、帯域６の生成物溶離間隔（元の位置に基づいた固定位置を有する）は、生成物のピーク最大値から外れ、吸着性の強い不純物の大部分を含むことになる（図２ｂ）。結果として、収集された画分における生成物濃度、さらに重大なことには純度が低下し、それにより、生成物が純度の仕様をもはや満たさなくなることがある。１分のシフトは、わずか摂氏数度の温度変化によって生じ得る。
【００８９】
通常は、検出器による記録が可能であるのは、累積濃度比例シグナルのみであり、例えば累積ＵＶシグナル（太い黒線、ＵＶ）のみであることに留意されたい。不純物が生成物プールに含まれていることを視覚化するために、累積濃度比例シグナルを数値的にデコンボリューション（ｄｅｃｏｎｖｏｌｕｔｅｄ）して、生成物及び不純物のピークを示した。
【００９０】
環境条件における変化を考慮するために、新たな設計クロマトグラムを新たな条件ごとに記録する必要があり、これは、著しい実験的労力をかけずには成し遂げることができず、実際的でない。
【００９１】
プロセス設計に安全性を付加する１つの手法は、生成物画分（帯域６）を狭くして、内部再循環の帯域（帯域５及び７）の幅を広げることであるが、これはプロセスの生産性に対して不利な影響を与えるため、クロマトグラムのシフトが溶離ウィンドウの幅より著しく小さい場合にしか行うことができない。操作パラメーターにおける変動を考慮するためのより好ましい手法は、オンライン制御の使用である。
【００９２】
１つの選択肢は、ピークの最大位置又はピークの一次モーメントの評価を使用して、次の生成物溶離又は次のサイクルのために制御動作を誘導することである。
【００９３】
別の選択肢は、アットライン（ａｔ−ｌｉｎｅ）ＨＰＬＣによる生成物溶離液の評価を使用して、収率及び純度を決定することである。
【００９４】
ＭＣＳＧＰについてのこれらの制御方法では、サイクル誤差（ｃｙｃｌｅ−ｔｏ−ｃｙｃｌｅ）に基づいてプロセスを制御及び最適化することが可能な高度な制御アルゴリズムが使用される。これらの制御方法の利点は、これらがプロセスの制御及びプロセスの最適化を同時に実行することが可能なことである。それらの欠点は、この方法が、制御動作の誘導が可能になる前に完全な生成物溶離段階についての情報を必要とするため、これに続く生成物溶離について最も早く有効になる制御動作の効果が遅延することにある。別の欠点は、オフライン分析が必要であること及び制御アルゴリズムの煩雑性である。通常、制御アルゴリズムは、生成物溶離を評価して、プロセス性能及び／又は生成物純度に関連する実際の値を決定し、実際の値と設定値との差に基づいて誤差を計算する。その後、誤差の大きさに基づいて制御動作が始動される。
【００９５】
他の方法は、クロマトグラフィーモデルを使用したＭＣＳＧＰプロセスの説明を目的としており、このモデルを使用して、プロセス性能を予測し、最適化（モデルに基づく予測制御）を実施する。これらの方法は、有用ではあるものの、実際に適用するのは困難である。なぜならば、これらの方法では、分離すべき化合物と、使用すべきクロマトグラフィー固定相及び移動相とに関連する多くのパラメーターに基づいてプロセス及びクロマトグラフィー分離を正確に記述する必要があり、これは決定が難しくかつ時間がかかり、またこれらの方法では、ノウハウの大幅なモデル化が必要とされるためである。
【００９６】
図３は、
（ａ）  濃度比例シグナルの傾き及び／又は値を、上流の吸着体の出口で、吸着性の弱い不純物の内部再循環（段階Ｉ１）中に監視すること、
（ｂ）  濃度比例シグナルの傾きが正である間に、濃度比例シグナルの値と定められた閾値とを連続的に比較すること、及び濃度比例シグナルが閾値に達したときに、
（ｃ）  段階Ｉ１の実施を停止して段階Ｂ１を開始すること、ここで、段階Ｂ１は、固定の持続長か、又は別の閾値に応じて変化する持続長を有する
を含む方法を使用したクロマトグラムを示す。
【００９７】
この場合、濃度比例シグナルはＵＶシグナルであり、ＵＶ閾値は０．６ＡＵであり、Ｂ１の固定持続長は１．５ｍＬである。
【００９８】
図４は、
（ａ）  濃度比例シグナルの傾き及び／又は値を、上流の吸着体の出口で、吸着性の弱い不純物の内部再循環（段階Ｉ１）中に監視すること、
（ｂ）  濃度比例シグナルの傾きが正である間に、濃度比例シグナルの値と定められた閾値とを連続的に比較すること、及び濃度比例シグナルが閾値に達したときに、
（ｃ）  段階Ｉ１を一定時間又は溶離体積にわたり継続（遅延）し、それから段階Ｉ１の実施を停止して段階Ｂ１を開始すること、ここで、段階Ｂ１は、固定持続長を有し、遅延は、所定の持続長か、又は別の閾値に応じて変化する持続長を有する
を含む方法を使用したクロマトグラムを示す。
【００９９】
この例では、以下のことが成り立つ：濃度比例シグナルはＵＶシグナルであり、閾値は０．５ＡＵであり、遅延体積は１．１ｍＬであり、Ｂ１生成物収集（固定）は１．５ｍＬである。
【０１００】
図５は、最小値に関連し得る遅延期間を段階Ｉ１で生じさせるために使用される閾値と同一の又は異なり得る閾値に基づいて段階Ｂ１が開始されるように修正した前記方法を使用したクロマトグラムを示す。最低持続長を遅延に割り当てる理由は、主要生成物の前に不純物が溶離して第２の閾値の値に達することを原因として段階Ｂ１が予定よりも早く開始されるのを回避することにある。遅延期間は、時間又は体積について定式化することが可能である。この例では、以下のことが成り立つ：濃度比例シグナルはＵＶシグナルであり、閾値１は０．５ＡＵであり、最低遅延期間は１．０ｍＬであり、閾値２は０．６ＡＵであり、生成物収集（固定）は１．５ｍＬである。
【０１０１】
図６は、
（ａ）  濃度比例シグナルの傾き及び／又は値を、生成物溶離吸着体（段階Ｂ１）の出口で監視すること、
（ｂ）  濃度比例シグナルの傾きが負である間に、濃度比例シグナルの値と定められた閾値とを連続的に比較すること、及び濃度比例シグナルが閾値に達したときに、
（ｃ）  試料の充填は段階Ｂ１の初めに行われ、他方の吸着体の溶離が閾値に達するまで進行している短い時間の後に停止され、Ｉ２は所定の持続長か、又は別の閾値に応じて可変の持続長を有するように試料の充填が調整されるように、段階Ｂ１の実施を停止して段階Ｉ２を開始すること
を含む方法を使用したクロマトグラムを示す。
【０１０２】
ここで、濃度比例シグナルはＵＶシグナルであり、閾値は０．２ＡＵであり、固定供給間隔持続長は０．５ｍＬであり、Ｉ２段階の固定持続長は１．２ｍＬである。
【０１０３】
図７は、Ｉ２の終点を閾値により決定する方法であって、この閾値に達したときに、（ｃ）段階Ｉ２の実施を停止して段階Ｂ２を開始する方法を使用したクロマトグラムを示す。ここで、濃度比例シグナルはＵＶシグナルであり、Ｉ２開始の閾値１は０．２ＡＵであり、固定供給間隔持続長は０．５ｍＬであり、Ｉ２終了の閾値２は０．１ＡＵである。
【０１０４】
段階Ｂ１の開始に関連する前記方法のいずれかを、段階Ｂ１の停止に関連する方法と組み合わせることができる。
【０１０５】
図８は、Ｉ１における遅延期間の開始が、第１の閾値に基づき、生成物収集段階Ｂ１の開始が、ＵＶシグナルの傾きが正である間の第２の閾値に基づき、段階Ｂ１の停止（及び段階Ｉ２の開始）が、第３の閾値に基づく、図５及び図６で述べた方法の組み合わせを示す。
【０１０６】
上記のいずれかの方法の他の好ましい実施形態では、制御動作を始動するために、クロマトグラムの傾きのさらなる情報が使用される。方法の好ましい実施形態において、固定持続長を有する遅延体積を使用する上記の方法では、遅延を停止して、第２の閾値に達するためのシグナルの評価を継続するための判定基準として、傾きの符号の変化を代わりに使用してもよい。
【０１０７】
いずれの方法も、このプロセスで使用される移動相の体積についての傾きに関して、溶離グラジエントを、段階Ｉ１、Ｂ１、Ｉ２を通して、好ましくは、化合物「Ｗ」が溶離する段階４で使用されるグラジエント傾きで実行及び拡張し続けることを含む。これは、図３〜８に図示されているように、マルチ吸着体プロセスの溶離グラジエントが、段階Ｉ１、Ｂ１、Ｉ２にわたり、このプロセスで使用される移動相の体積について一定の傾きを有することを意味する。
【０１０８】
また、記載の方法において、閾値は、同一の実行又はサイクル中に得られる情報に基づいて定められ得るため、これらは、実行又はサイクルが開始する時点では不明であってもよい。そのような場合、１回目のサイクルを部分的又は完全に実行して、それから、残りのサイクル（サイクルが評価時点で部分的に完了している場合）又はクロマトグラフィープロセスの残りの実行について有効な、記録されたシグナルの評価に基づく閾値をこの方法により決定することができる。したがって、プロセスのある段階を停止してプロセスの新たな段階を開始するための閾値は、クロマトグラフィープロセスの同一の又は先行する実行中に記録される濃度比例シグナルと関連づけて定められる。例として、この方法では、ＵＶシグナルをＭＣＳＧＰクロマトグラフィー実行の操作中に監視する。この方法は、段階Ｂ１中に得られるＵＶ最大値の２５％に達したらすぐに、段階Ｂ１を停止して段階Ｉ２を開始するように構成されている。段階Ｂ１中に、最大ピーク値０．８０ＡＵのピークが溶離する（図６参照）。この方法が０．２０ＡＵに対応する最大ピーク値の２５％に達したらすぐに、段階Ｂ１は停止し、このプロセスは段階Ｉ２で継続する。続くサイクルにおいて、段階Ｂ１では、最大ピーク値が０．７２ＡＵにしか達しない場合がある（例えば、吸着体品質の変化を原因とする）。段階Ｂ１中に達したピーク最大値の２５％に達すると動作するように方法が構成されているため、このプロセスは０．１８ＡＵの閾値に達するまで継続し、それから段階Ｂ１が停止され、段階Ｉ２が開始される。実行の間に事前に得られた濃度比例値に閾値を関連付けるこのタイプの方法の構成により、吸着体品質又は検出器品質又は検出器較正における変動のバランスを取ることが可能になる。この方法は、クロマトグラムにおいてカウントされたピーク数を使用して制御動作を始動させることも含む。
【０１０９】
例１［図９］：
制御方法（Ａ）を使用して、Ｃｏｎｔｉｃｈｒｏｍシステム（ＣｈｒｏｍａＣｏｎ  ＡＧ）を操作した。内側直径０．５ｃｍ及び層高さ１０ｃｍのカラムに充填した異なるカチオン交換固定相（Ｆｒａｃｔｏｐｒｅｐ  ＳＯ３（Ｍ）及びＧｉｇａｃａｐ  ＳＯ３）を充填した２つのカラム。２つの異なる樹脂を使用し、カラム充填品質が異なるカラムを擬似的に再現して使用した。Ａ２８０ＵＶシグナルを双方のカラム出口で連続的に監視するようにシステムの操作ソフトウェアをプログラムし、設計クロマトグラムの知識に基づいて、生成物収集段階を開始するためのＵＶ閾値を０．１ＡＵ（＝１００ｍＡＵ）に設定した。生成物溶離段階の持続長を、５．５分に固定した。
【０１１０】
充填材料はリゾチーム溶液であり、使用した緩衝液は以下の通りであった：緩衝液Ａ：２５ｍＭのホスフェート、ｐＨ６．０；緩衝液Ｂ：２５ｍＭのホスフェート、ｐＨ６．０、１ＭのＮａＣｌ；洗浄溶液：１ＭのＮａＯＨ。図９Ａは、各カラムからの生成物溶離ピークが繰り返された、１０回のサイクルにわたるＭＣＳＧＰプロセスのサイクル操作のクロマトグラムを示す。生成物ピークは、どのカラムから溶離するかに応じて、幅及び高さが大きく異なることが分かる（Ｆｒａｃｔｏｐｒｅｐは幅広いピーク、Ｇｉｇａｃａｐは狭いピーク）。図９Ｂは、１０回のサイクルのクロマトグラムのオーバーレイを示し、各カラムからの生成物溶離が、同一のカラムからの生成物溶離と比較して非常に再現性が高いことが確認されている。さらに、この図は、用いられる出口バルブの位置（Ｖ１ｂ、Ｖ２ｂ）を示し、これはプロセス段階を表す。バルブ位置４は段階Ｉ１に対応し、位置３は段階Ｂ１に対応し、位置４は段階Ｉ２に対応し、位置１及び５は段階Ｂ２に対応する。
【０１１１】
これらのクロマトグラムは、ピーク形状が大きく異なるにもかかわらず生成物収集が０．１ＡＵの設定閾値で開始すること、及び生成物収集が固定持続長で動作することを示しており、どちらの場合にも、最も高い生成物濃度及び純度に対応するピーク最大値が収集される。
【０１１２】
図１０は、図１に図示したプロセスに類似したプロセスの概略図を示し、ａ）には、吸着体を３つ含む構成が示されており、ｂ）には、吸着体を４つ含む構成が示されている。
【０１１３】
吸着体を３つ用いるａ）において、Ｉ１〜Ｂ２の上側４つのラインは、吸着体１及び２のタスクに関する限り、図１に図示されているプロセスに実質的に対応する。吸着体３は、成分Ｗ（吸着性の弱い画分）、Ｐ（生成物画分）及びＳ（吸着性の強い画分）を含む実際の分離プロセスに関する限り、受動的である。この第１のブロックでは、カラム３を、洗浄、平衡化又は反応ステップに供することができる。
【０１１４】
第２のブロックのＩ１〜Ｂ２に移行すると（移行は、左の上側矢印により図示されている）、第１のブロックの吸着体１は、第１のブロックにおける吸着体２の機能を引き継ぎ、第１のブロックの吸着体２は、第１のブロックにおける吸着体３の機能（受動機能）を引き継ぎ、第１のブロックの吸着体３は、第１のブロックにおける吸着体１の機能を引き継ぐ。
【０１１５】
第３のブロックのＩ１〜Ｂ２に移行すると（移行は、左の下側矢印により図示されている）、吸着体１は、第１のブロックにおける吸着体３の機能（受動機能）を引き継ぎ、吸着体２は、第１のブロックにおける吸着体１の機能を引き継ぎ、吸着体３は、第１のブロックにおける吸着体２の機能を引き継ぐ。
【０１１６】
図１０ａにおける吸着体３つのプロセスにおいて、濃度比例シグナルは、稼働中のカラムの出口で、すなわち、上から１つ目のブロックではカラム１及び２の出口（図１の説明に詳述されているように）で、上から２つ目のブロックについては同様にカラム１及び３の出口で、一番下のブロックについては同様にカラム２及び３の出口で測定することが可能である。濃度比例シグナルを、相互連結モード（Ｉ１、Ｉ２）では、稼働中の２つの吸着体のうちの上流の吸着体の出口のみで測定し、生成物を溶離させる吸着体のバッチ段階（Ｂ１）では、例えば、ステップ１〜４（第１のブロック）の吸着体２の出口、ステップ５〜８（第２のブロック）の吸着体１の出口、及びステップ９〜１２（ブロック３）の吸着体３の出口のみで測定することが好ましい。
【０１１７】
吸着体を４つ用いる図１０ｂ）において、Ｉ１〜Ｂ２の上側４つのラインは、吸着体１及び２のタスクに関する限り、図１に図示されているプロセスに実質的に対応する。吸着体３及び４は、成分Ｗ（吸着性の弱い画分）、Ｐ（生成物画分）及びＳ（吸着性の強い画分）を含む実際の分離プロセスに関する限り、受動的である。第１のブロックでは、吸着体３及び４を、洗浄、平衡化又は反応ステップに供することができる。
【０１１８】
第２のブロックのＩ１〜Ｂ２に移行すると（移行は、左の上側矢印により図示されている）、第１のブロックの吸着体１は、第１のブロックにおける吸着体２の機能を引き継ぎ、第１のブロックの吸着体２は、第１のブロックにおける吸着体３の機能（受動機能）を引き継ぎ、第１のブロックの吸着体３は、第１のブロックにおける吸着体４の機能（受動機能）を引き継ぎ、第１のブロックの吸着体４は、第１のブロックにおける吸着体１の機能を引き継ぐ。
【０１１９】
第３のブロックのＩ１〜Ｂ２に移行すると（移行は、左の中央の矢印により図示されている）、吸着体１は、第１のブロックにおける吸着体３の機能（受動機能）を引き継ぎ、吸着体２は、第１のブロックにおける吸着体４の機能（受動機能）を引き継ぎ、吸着体３は、第１のブロックにおける吸着体１の機能を引き継ぎ、吸着体４は、第１のブロックにおける吸着体２の機能を引き継ぐ。
【０１２０】
第４のブロックのＩ１〜Ｂ２に移行すると（移行は、左の下側矢印により図示されている）、吸着体１は、第１のブロックにおける吸着体４の機能を引き継ぎ、吸着体２は、第１のブロックにおける吸着体１の機能を引き継ぎ、吸着体３は、第１のブロックにおける吸着体２の機能を引き継ぎ、吸着体４は、第１のブロックにおける吸着体３の機能を引き継ぐ。
【０１２１】
また、図１０ｂにおける吸着体４つのプロセスにおいて、濃度比例シグナルは、稼働中の吸着体の出口で、すなわち、上から１つ目のブロックについては吸着体１及び２の出口（図１の説明に詳述される）で、上から２つ目のブロックについては同様に吸着体１及び４の出口で、３つ目のブロックについては吸着体３及び４の出口で、一番下のブロックについては同様に吸着体２及び３の出口で測定することが可能である。また、濃度比例シグナルを、稼働中の２つの吸着体のうちの上流の吸着体の出口のみで測定し、生成物を溶離させる吸着体のバッチ段階（Ｂ１）では、ステップ１〜４（第１のブロック）の吸着体２の出口、ステップ５〜８（第２のブロック）の吸着体１の出口、ステップ９〜１２（ブロック３）の吸着体４の出口、及びステップ１３〜１６（ブロック４）の吸着体３の出口のみで測定することが好ましい。
【符号の説明】
【０１２２】
１  平衡化帯域
２  供給帯域
３  洗浄帯域
４  Ｗの溶離帯域
５  再循環重なり帯域、重なり部分Ｗ／Ｐの溶離
６  純粋な生成物Ｐの溶離帯域
７  再循環重なり帯域、重なり部分Ｐ／Ｓの溶離
８  洗浄及び再平衡化帯域
Ｉ  相互連結段階
Ｂ  バッチ段階
Ｂ１  第１のバッチ段階
Ｉ１  第１の相互連結段階
Ｂ２  第２のバッチ段階
Ｉ２  第２の相互連結段階
Ｗ  吸着性の弱い不純物画分
Ｐ  所望の生成物画分／化合物
Ｓ  吸着性の強い不純物画分
ＵＶ  ＵＶシグナル
Ｖ  体積
ｔ  時間
Ｑ  体積流量
【図１】
2021503367.tif 000003
【図２】
2021503367.tif 000004
【図３】
2021503367.tif 000005
【図４】
2021503367.tif 000006
【図５】
2021503367.tif 000007
【図６】
2021503367.tif 000008
【図７】
2021503367.tif 000009
【図８】
2021503367.tif 000010
【図９】
2021503367.tif 000011
【図１０ａ】
2021503367.tif 000012
【図１０ｂ】
2021503367.tif 000013
【国際調査報告】
2021503367.tif 000014
2021503367.tif 000015
2021503367.tif 000016